(57)【要約】      （修正有）【課題】構造が簡単で、利用しやすく、外形が綺麗で上品である乾燥剤隔離式容器を提供する。【解決手段】乾燥剤隔離式容器は容器本体と蓋２で構成される。蓋の両側には第１フリップキャップ３と第２フリップキャップ４があり、第１フリップキャップのエッジには取っ手が設けられる。蓋の下側には乾燥剤ケースが設けられ、その中に袋式乾燥剤を入れられる。第１フリップキャップと第２フリップキャップはプラスチック射出成形技術で加工され、蓋に取り付ける。本考案は、乾燥剤を容器本体と隔離させることで、乾燥機能を発揮させると同時に、乾燥剤が食品や薬品への混入と漏れを防いで、誤食を防止し、食品と薬品の保存期間と品質を向上させる。【選択図】図１
0003232679.tif 000002
【実用新案登録請求の範囲】
【請求項１】
乾燥剤分離型容器において、容器本体と蓋（2）で構成され、蓋（2）の両側には第1フリップキャップ（3）と第2フリップキャップ（4）があり、第1フリップキャップ（3）のエッジには取っ手（1）が設けられ、
蓋（2）の下側には乾燥剤ケース（5）が設けられ、その中に袋式乾燥剤（6）を入れられ、
第1フリップキャップ（3）と第2フリップキャップ（4）はプラスチック射出成形技術で加工され、蓋（2）に取り付けることを特徴とする乾燥剤分離型容器。
【請求項２】
前記乾燥剤ケース（５）に透かし彫りのグリッドが設けられていることを特徴とする請求項１に記載される乾燥剤分離型容器。  
【請求項３】
長方形又は円形のいずれに加工可能であることを特徴とする請求項１に記載される乾燥剤分離型容器。
【考案の詳細な説明】
【技術分野】
【０００１】
本考案は、容器に関わり、具体的に説明すると、乾燥剤分離型の瓶、缶等の密閉容器である。
【背景技術】
【０００２】
乾燥剤は、湿潤物質中の水分を除去できる物質と言い、通常、硫酸カルシウム及び塩化カルシウム等のような、水と結合して水和物を生成することで、乾燥機能を発揮する化学的乾燥剤及び、シリカゲル及び活性化酸化アルミニウム等のような、物理的に水を吸着することにより乾燥機能を発揮する物理的乾燥剤との２種類に分けられる。
【０００３】
従来の乾燥剤は袋式密封包装であることが多いが、実際の使用に際して、食べ物、薬物に混じて誤食や漏出の現象が現れやすく、利用者の健康及び安全を害する可能性がある。
【０００４】
このため、乾燥剤分離型容器の設計は必要性がある。
【考案の概要】
【０００５】
本考案が解決しようとする課題は、従来の乾燥剤が実際の使用に際して、直接食べ物や薬物の間に置かれ、人が誤食したり、包装が漏れたりする現象がよく現れる。
【０００６】
上記課題を解決するために、本考案は以下の技術的手段を提供する。乾燥剤隔離式容器は、容器本体と蓋で構成される。蓋の両側には第1フリップキャップと第2フリップキャップがあり、第1フリップキャップのエッジには取っ手が設けられる。
蓋の下側には乾燥剤ケースが設けられ、その中に袋式乾燥剤を入れられる。
第1フリップキャップと第2フリップキャップはプラスチック射出成形技術で加工され、蓋に取り付ける。
【０００７】
本考案は、従来の技術と比べ、最大のメリットは、乾燥剤を容器本体と隔離させることで、乾燥機能を発揮させる同時に、乾燥剤が食品や薬品への混入と漏れを防いで、誤食を防止し、食品と薬品の保存期間と品質を向上させる。本考案は構造が簡単で、利用しやすく、外形げ綺麗で上品である。
【０００８】
改善としては、乾燥剤ケースに透かし彫りのグリッドが設けられ、乾燥剤は容器本体にある水分を効率よく吸収させること。
【０００９】
改善としては、蓋の形状は、長方形又は円形のいずれに加工できる。多種類の容器構造に対応可能で、より適用性が強まる。
【図面の簡単な説明】
【００１０】
【図１】乾燥剤分離型容器の蓋の頂部の概略構成図である。
【図２】乾燥剤分離型容器の蓋の底部の概略構成図である。
【図３】乾燥剤分離型容器の蓋の使用状態での概略構成図である。
【図４】実施例１の蓋の頂部の概略構成図である。
【図５】実施例１の蓋の断面の概略構成図である。
【図６】実施例１の蓋の底部の概略構成図である。
【図７】実施例２の蓋の底部の概略構成図である。
【図８】実施例２の蓋の断面の概略構成図である。
【図９】実施例３の蓋の頂部の概略構成図である。
【図１０】実施例３の蓋の底部の概略構成図である。
【図１１】実施例４の蓋の断面の概略構成図である。
【図１２】実施例５の蓋の頂部の概略構成図である。
【図１３】実施例５の蓋の底部の概略構成図である。
【図１４】実施例６の蓋の頂部の概略構成図である。
【図１５】実施例６の蓋の断面の概略構成図である。
【図１６】実施例７の蓋の頂部の概略構成図である。
【図１７】実施例７の蓋の断面の概略構成図である。
【考案を実施するための形態】
【００１１】
以下に添付図面に基づき本考案をより詳しく説明する。
【００１２】
本考案の具体的な実施にあたって、乾燥剤隔離式容器は、容器本体と蓋（2）で構成される。蓋（2）の両側には第1フリップキャップ（3）と第2フリップキャップ（4）があり、第1フリップキャップ（3）のエッジには取っ手（1）が設けられる。
蓋（2）の下側には乾燥剤ケース（5）が設けられ、その中に袋式乾燥剤（6）を入れられる。
第1フリップキャップ（3）と第2フリップキャップ（4）はプラスチック射出成形技術で加工され、蓋（2）に取り付ける。
【００１３】
前記乾燥剤ケース（５）に透かし彫りのグリッドが設けられている。
【００１４】
前記蓋(２)の形状は、長方形又は円形のいずれに加工できる。
【００１５】
本考案の働き原理として、密封する瓶、缶、箱の蓋において設計し、乾燥剤を置く構造を追加し、乾燥剤を入れ、瓶内、缶内、箱内において除湿乾燥処理をする。
【００１６】
本考案は湿気を持ち、変質しやすい片状、粉状又は顆粒状の食品、調味料、飲料、薬品、生活用品の缶、箱又は瓶の蓋で利用できる。
【００１７】
本考案で利用する乾燥剤は瓶／缶の蓋に内蔵される乾燥剤である。
【００１８】
実施例１
本実施例は円形一体型蓋の構造であり、乾燥剤ケースが蓋本体の底部に設けられる。
【００１９】
実施例２
本実施例は回転蓋の構造であり、スクリュー付きの瓶型容器に適応可能。蓋の内壁に相応のスクリューが設けられ、容器と噛み合わせられる。蓋は円型構造を呈し、蓋の下側に乾燥剤ケースが配置される。
【００２０】
実施例３
本実施例は方形一体型蓋の構造であり、原設計と違い、フリップキャップを取り除き、一体型設計となり、キャップの下側に乾燥剤ケースが配置される。
【００２１】
実施例４
本実施例は嵌め込み型蓋の構造であり、蓋は円形の一体型設計となり、蓋の下側に乾燥剤ケースが配置される。
【００２２】
実施例５
本実施例は円形分体式蓋の構造であり、原設計と比べ、蓋の形は長方形から円形に変わるだけで、構造は変わらない。
【００２３】
実施例６
本実施例は乾燥剤交換可能な回転式蓋構造であり、蓋は円形であり、下側に乾燥剤ケースが嵌め込まれ、又は一体的に取り付けられ、上部に取っ手が設けられる。
【００２４】
実施例７
本実施例は上部にフリップキャップが付いている円形一体型蓋構造であり、使用者はフリップキャップを開けて、乾燥剤を乾燥剤ケースに入れることができる。
【００２５】
なお、「第１」、「第２」は単なる説明のために使用され、相対的な重要性を指示したり、暗示したりするものではなく、又は指示される技術的特徴の数量を暗示するものではないことが理解されるべきである。そのため、「第１」、「第２」で限定した特徴は、１つ以上の前記特徴を含んでいることを明示又は暗示することが可能である。本考案の説明において、明確且つ具体的に限定しない限り、「複数」とは２つ以上を意味する。
【００２６】
本考案において、明確に規定及び限定しない限り、「取り付けられる」、「連結される」、「接続される」、「固定される」とは広い意味で理解すべきである。例えば、固定して接続されてもよく、着脱可能に接続されてもよく、又は一体に接続されてもよい。機械的に接続されてもよく、電気的に接続されてもよい。直接接続されてもよく、中間部材を介して間接的に接続されてもよく、２つの構成要素の内部が連通してもよい。当業者であれば、具体的な状況に応じて、上記用語の本考案における具体的な意味を理解することができる。
【００２７】
本考案において、明確に規定及び限定しない限り、第１特徴が第２特徴の「上」又はの「下」に位置するとは、第１特徴と第２特徴とが直接接触することを含んでもよく、第１特徴と第２特徴とが直接接触することなく、これら間の別の特徴を介して接触することを含んでもよい。そして、第１特徴が第２特徴の「上」、「上方」及び「上面」に位置するとは、第１特徴が第２特徴の真上及び斜め上方に位置することを含み、又は単に第１特徴の高さが第２特徴の高さよりも高いことを意味する。第１特徴が第２特徴の「下」、「下方」及び「下面」に位置するとは、第１特徴が第２特徴の真下及び斜め下方に位置することを含み、又は単に第１特徴の高さが第２特徴の高さよりも低いことを意味する。
【００２８】
本明細書の説明において、「１つの実施例」、「いくつかの実施例」、「例」、「具体的な例」、又は「いくつかの例」等の説明とは、当該実施例又は例により説明される具体的な特徴、構造、材料又は特性が本考案の少なくとも１つの実施例又は例に含まれることを意味する。本明細書において、上記用語に対する概略的な説明は同じ実施例又は例を示すとは限らない。そして、説明される具体的な特徴、構造、材料又は特性は、何れか１つ又は複数の実施例又は例において、適当な方式で結合されてもよい。
【００２９】
以上に本考案の実施例を開示及び説明したが、上記実施例は例示的なものであり、本考案を限定するものではないと理解すべきである。当業者は、本考案の原理及び趣旨を逸脱することなく、本考案の範囲において上記実施例を変更、修飾、置換及び変形することができる。
【符号の説明】
【００３０】
１    取っ手
２    蓋
３    第1フリップキャップ
４    第2フリップキャップ
５    乾燥剤ケース
６    乾燥剤
７    スクリュー
【図１】
0003232679.tif 000003
【図２】
0003232679.tif 000004
【図３】
0003232679.tif 000005
【図４】
0003232679.tif 000006
【図５】
0003232679.tif 000007
【図６】
0003232679.tif 000008
【図７】
0003232679.tif 000009
【図８】
0003232679.tif 000010
【図９】
0003232679.tif 000011
【図１０】
0003232679.tif 000012
【図１１】
0003232679.tif 000013
【図１２】
0003232679.tif 000014
【図１３】
0003232679.tif 000015
【図１４】
0003232679.tif 000016
【図１５】
0003232679.tif 000017
【図１６】
0003232679.tif 000018
【図１７】
0003232679.tif 000019